(57)【要約】【課題】上端部を横に切り裂いて大きく開口させる形式の包装袋に対して広範に適用可能な付け替え容器及びこれに好適に適用される付け替え用の包装袋を提供する。【解決手段】付け替え用包装袋1は下端の幅W1が上部の幅W2よりも小さい。付け替え容器10は容器本体11と止め部材12とで構成され、止め部材12は容器本体11の上端開口部の中に進入する筒部15を有している。開封した包装袋1の開口部の中に止め部材12の筒部15を進入させた後に、止め部材12を容器本体11の上端開口部に嵌入することで包装袋1の上端開口部が止め部材12の筒部15と容器本体11とで挟持される。この挟持は、容器本体11の内周面に形成した突起20と止め部材12の筒部15の外周面とによって行われる。【選択図】図8
2012214253.tif 000002
【特許請求の範囲】
【請求項１】
上端部を切断することにより開封可能な食品入りの包装袋を脱着可能に装着することにより該包装袋と一体化して、内容物を収容し且つ内容物を取り出すことのできる付け替え容器であって、
上方に開放した容器本体と、
前記容器本体の上端開口部に脱着可能に嵌挿可能な筒部を備え且つ上下に開放した止め部材とを有し、
開封した前記包装袋の上端開口部の中に前記止め部材の前記筒部を挿入した状態で、前記止め部材の前記筒部を前記容器本体の上端開口部に嵌挿することで、前記止め部材の前記筒部の外周面と前記容器本体の内周面とが協働して前記開放した前記包装袋の上端開口部を挟持することにより前記開封した包装袋を前記容器と一体化することを特徴とする付け替え容器。
【請求項２】
前記止め部材を開閉する蓋部材を更に有する、請求項１に記載の付け替え容器。
【請求項３】
前記止め部材を閉塞する天板を更に有し、該天板に複数の小孔が形成され、該複数の小孔によって前記止め部材が上方に開放している、請求項２に記載の付け替え容器。
【請求項４】
前記止め部材が合成樹脂材料の成型品であり、
前記蓋部材が前記止め部材に一体成形ヒンジを介して連結されている、請求項２又は３に記載の付け替え容器。
【請求項５】
前記容器本体の上端開口部の内周面又は前記止め部材の筒部の外周面に設けられた突起を有し、
該突起と、これと対抗する前記容器本体の上端開口部の内周面又は前記止め部材の筒部の外周面とが協働して、前記開放した前記包装袋の上端開口部を挟持することにより前記開封した包装袋を前記容器と一体化する、請求項１〜４のいずれか一項に記載の付け替え容器。
【請求項６】
請求項１〜５のいずれか一項に記載の付け替え容器に装着可能な包装袋であって、
開封したときに前記筒部と実質的に同じ大きさの上端開口部を形成する上端部を有し、
上端部を横方向に切断して開封した後に、この開放した上端部の中に前記止め部材の前記筒部を挿入した状態で該止め部材を前記外装ケース本体に装着することで、前記付け替え容器と一体化することができることを特徴とする包装袋。
【請求項７】
少なくとも下部が下方に向けて先細りの形状を有する、請求項６に記載の包装袋。
【請求項８】
前記包装袋の下端部が横方向に延びる下端ヒートシール部で構成されている、請求項７に記載の包装袋。
【請求項９】
請求項１の付け替え容器と、請求項６〜８のいずれか一項の包装袋であって食品入りの包装袋との組み合わせ。
【発明の詳細な説明】
【技術分野】
【０００１】
本発明は、内容物を収容した袋を付け替えることのできる付け替え容器及びこれに好適に適用される付け替え用包装袋並びに容器と包装袋の組み合わせに関する。
【背景技術】
【０００２】
環境負荷を低減するため、シャンプー、スパイス、インスタントコーヒー、洗剤などでは、空になった容器の中に内容物を補充することで容器を長期に亘って使用する詰め替え商品が数多く出回っている。
【０００３】
具体的には、詰め替え用の内容物を収容した袋（典型的には詰め替え用包装袋）を容器とは別に販売し、ユーザは既に手元にある容器が空になったら詰め替え用包装袋を入手して、この詰め替え用包装袋の内容物を容器に移し替えることで、ガラス瓶やプラスチック容器など日頃の使用に適した機能や意匠を備えた容器を何回でも且つ長期に亘って使用することができる。
【０００４】
しかしながら、容器に内容物を移し替えるのに、手間が掛かるだけでなく、内容物を容器に移し替えている最中に内容物の一部が飛散したりこぼれ落ちたりする等の問題がある。また、容器を長期に亘って使用するため、これを不衛生に感じているユーザも存在する。この詰め替え方式の問題点を具体的に説明すると、例えばスパイス（一味唐辛子や七味唐辛子などの香辛料）は、これを密封包装袋に収容した詰め替え用のスパイスとして販売されている。空になったスパイス容器に、詰め替え用包装袋からスパイスを移し替えるとき、詰め替え用包装袋の一部を切り欠いて取り出し口を作り、次いで、スパイス容器の開口（口部）に詰め替え用包装袋の取り出し口をあてがって少しずつスパイス容器にスパイスを充填する。この詰め替えの過程で、詰め替え用包装袋からスパイス容器の開口（口部）にスパイスを移し替えるのに時間を要したり、スパイスがこぼれた落ちることがあり、こぼれ落ちたスパイスで周囲を汚すことが多々ある。
【０００５】
上述した詰め替え方式の問題点を改善する方式として付け替え方式が提案されている。特許文献１は、洗剤などの液体を収容した袋であって液体取り出し部材を備えた付け替え用包装袋を受け入れる容器本体を開示している。具体的には、容器本体は、上方に向けて開放した筒状の形状を有し、また、この筒状の容器本体の上端部には、液体収容袋の液体取り出し部材を受け入れることのできる切り欠きが形成されている。そして、内容物である液体を入れた付け替え用包装袋を容器本体内に挿入すると共に上記の切り欠き部分に前記液体取り出し部材を嵌合させることで、付け替え用包装袋が容器の一部となる。
【０００６】
特許文献２は、液体石けんなどの液体を収容し且つヒートシールした液体注出口にポンプシリンダを止水した状態で着脱可能に取り付けることのできる付け替え容器を開示している。
【０００７】
特許文献３は、液体石けんのような液体を収容した比較的腰の弱い包装体（ブロー成形した容器や包装袋）にポンプシリンダを止水した状態で脱着可能に取り付けることのできる筒状の付け替え容器を開示している。
【０００８】
特許文献４は、芳香剤や消臭剤を収容した包装袋を開封した後に起立した状態で収容する付け替え容器を開示している。具体的には、筒状の外装容器の内面に互いに対向して上下方向に延びる一対の縦溝を用意し、この一対の縦溝に付け替え用包装袋の左右のサイドシール部分を挿入することで、開封した包装袋が起立した状態で付け替え容器（外装容器）に収容される。
【０００９】
特許文献５は、上述した特許文献４と同様に、消臭剤を収容した付け替え用包装袋を開封した後に起立した状態で収容する付け替え容器を開示している。具体的には、筒状の外装容器の側壁に、互いに対抗した位置に一対の上下方向に延びる切れ込み（縦スリット）を用意し、この一対の縦スリットに包装袋の左右のサイドシール部分を挿入することで、開封した付け替え用包装袋が起立した状態で付け替え容器（外装容器）に収容される。
【先行技術文献】
【特許文献】
【００１０】
特許文献１
特開平６−４８４６５号公報
特許文献２
特開２０００−１８５７６８号公報
特許文献３
特開２００４−３５２３４９号公報
特許文献４
特開２００９−２４９０１０号公報
特許文献５
特開２００９−２４９０１１号公報
【発明の概要】
【発明が解決しようとする課題】
【００１１】
上述した特許文献１〜５で例示した付け替え容器は、詰め替え方式で問題視されているこぼれ落ちや不衛生に感じているユーザの声に対して適切に応えることのできる容器であると言うことができる。
【００１２】
しかし、特許文献１〜５に開示の付け替え容器は、その適用が限定される。例えば、特許文献１の付け替え容器は、キャップ付きの液体取り出し部材を備えた包装袋に限定される。特許文献２、３の付け替え容器は、液体石けんで見られるポンプ付き容器に限定して適用可能である。特許文献４、５の付け替え容器は、芳香剤や消臭剤のように定置して使用する容器（外装容器）に限定して適用可能である。
【００１３】
本発明の目的は、詰め替え方式で広く一般的に使われている包装袋、つまり包装袋のように上端部を横に切り裂いて大きく開口させる形式の包装袋に対して広範に適用可能な付け替え容器及びこれに好適に適用される付け替え用の包装袋並びに容器と包装袋の組み合わせを提供することにある。
【課題を解決するための手段】
【００１４】
上記の技術的課題は、本発明の第１の観点によれば、
上端部を切断することにより開封可能な食品入りの包装袋を脱着可能に装着することにより該包装袋と一体化して、内容物を収容し且つ内容物を取り出すことのできる付け替え容器であって、
上方に開放した容器本体と、
前記容器本体の上端開口部に脱着可能に嵌挿可能な筒部を備え且つ上下に開放した止め部材とを有し、
開封した前記包装袋の上端開口部の中に前記止め部材の前記筒部を挿入した状態で、前記止め部材の前記筒部を前記容器本体の上端開口部に嵌挿することで、前記止め部材の前記筒部の外周面と前記容器本体の内周面とが協働して前記開放した前記包装袋の上端開口部を挟持することにより前記開封した包装袋を前記容器と一体化することを特徴とする付け替え容器を提供することにより達成される。
【００１５】
上記の技術的課題は、本発明の第２の観点によれば、
上記の付け替え容器に装着可能な包装袋であって、
開封したときに前記筒部と実質的に同じ大きさの上端開口部を形成する上端部を有し、
上端部を横方向に切断して開封した後に、この開放した上端部の中に前記止め部材の前記筒部を挿入した状態で該止め部材を前記外装ケース本体に装着することで、前記付け替え容器と一体化することができることを特徴とする包装袋を提供することにより達成される。
【００１６】
本発明の第３の観点によれば、上述した付け替え容器と、食品入りの上記の包装袋との組み合わせを提供することにより、上述した課題を達成することができる。
【００１７】
本発明の好ましい実施形態の包装袋にあっては、少なくとも下部が下方に向けて先細りの形状を有する。これにより、新しい包装袋を付け替え容器に装着する際に、包装袋を容器本体に挿入する作業が容易になる。また、これに加えて、実施形態の包装袋にあっては、下端部が横方向に延びる下端ヒートシール部で構成される。この下端ヒートシール部は、包装袋の本体に比べて比較的固いため、上記下方に向けて先細りの形状との組み合わせによって包装袋を容器本体に挿入する作業が一層容易になる。
【図面の簡単な説明】
【００１８】
【図１】実施例の付け替え用包装袋の図であり、（イ）は正面図、（ロ）は右側面図、（ハ）は背面図、（ニ）は平面図、（ホ）は底面図である。
【図２】図１の付け替え用包装袋の断面図であり、（イ）は図１（ニ）のＡ−Ａ線に沿った断面図、（ロ）は図１（イ）のＢ−Ｂ線に沿った断面図、（ハ）は図１（イ）のＣ−Ｃ線に沿った断面図である。
【図３】図１の付け替え用包装袋を開封している状態を説明するための図である。
【図４】第１実施例の付け替え容器の斜視図である。
【図５】第１実施例の付け替え容器の分解斜視図である。
【図６】第１実施例の付け替え容器の縦断面図である。
【図７】第１実施例の付け替え容器に含まれる止め部材の側面図である。
【図８】第１実施例の付け替え容器の止め部材と容器本体（外装ケース本体）とによって、開封した包装袋が位置固定される状態を説明するための断面図である。
【図９】第２実施例の付け替え容器の斜視図である。
【図１０】第２実施例の付け替え容器の分解斜視図である。
【図１１】第２実施例の付け替え容器に含まれる止め部材の平面図であり、この止め部材に一体成形ヒンジを介して連結された蓋部材の一部を切り欠いた図である。
【図１２】第２実施例の付け替え容器の縦断面図である。
【図１３】第２実施例の付け替え容器の止め部材と容器本体（外装ケース本体）とによって、開封した付け替え用包装袋が位置固定される状態及び止め部材が断面円形の容器本体の上端部に螺着されることを説明するための断面図である。
【図１４】第３実施例の付け替え容器の斜視図である。
【図１５】第３実施例の付け替え容器の分解斜視図である。
【図１６】第３実施例の付け替え容器の縦断面図である。
【図１７】第３実施例の付け替え容器の止め部材の平面図であり、この止め部材に一体成形ヒンジを介して連結された蓋部材の一部を切り欠いた図である。
【図１８】第３実施例の付け替え容器の容器本体（外装ケース本体）の上端縁を示す図である。
【図１９】第４実施例の付け替え容器の分解斜視図であり、上端を開放した包装袋を組み込む状態を説明するための図である。
【図２０】第４実施例の付け替え容器であって、上端を開放した包装袋と一体化した断面楕円形の容器を短軸方向に切断した断面図である。
【図２１】第５実施例の付け替え容器の分解斜視図であり、上端を開放した包装袋を組み込む状態を説明するための図である。
【図２２】第５実施例の付け替え容器であって、上端を開放した包装袋と一体化した容器の断面図である。
【発明を実施するための形態】
【実施例】
【００１９】
以下に、添付の図面に基づいて本発明の好ましい実施例を説明する。
【００２０】
図１〜図８を参照して第１実施例の付け替え用包装袋を説明する。一例として、図示の付け替え用包装袋１には、一味唐辛子や七味唐辛子などの粉状の香辛料が収容されている。この付け替え用包装袋１は、正面視したときに、縦に細長い形状を有する。すなわち、付け替え用包装袋１は、その好ましい形態として、少なくとも下部が下方に向けて先細りの形状を有するのが好ましい(図１（イ）)。具体的には、付け替え用包装袋１は、下端の幅Ｗ１が上部の幅Ｗ２よりも小さい（Ｗ１＜Ｗ２：図１（イ））。最も好ましくは、付け替え用包装袋１は、下部が左右にマチ２を備えたガセット袋で構成されるのがよい。これにより、幅狭でありながら、比較的多くの量の内容物（粉末香辛料）を収容することができる。更に、付け替え用包装袋１の下端の幅Ｗ１が、後に説明する外装ケース本体１１の突起２０の長径よりも短いことにより、外装ケース本体１１に付け替え用包装袋１を装着した止め部材１２の装着作業が一層容易になる。
【００２１】
付け替え用包装袋１は、横方向に延びる上端ヒートシール部３と、これに続いて下方に延びる本体４を有し、上端ヒートシール部３に隣接し且つ本体４の上方位置を横断する切断箇所７を指又はハサミで横方向に切断することで包装袋１を開封することができる（図３）。この切断箇所７に弱化線や印を印刷しておくことが望ましい。包装袋１を開封することで形成される包装袋１の上端開口部１ａの好ましい大きさについては後に説明する。
【００２２】
付け替え用包装袋１は、背面の中央に縦方向に延びる縦ヒートシール部５（図１（ハ）を備えているが、左又は右又は左右にサイドシール部を有する形態であってもよい。また、付け替え用包装袋１は、好ましくは、下端ヒートシール部６を備えているのがよく、この下端ヒートシール部６と、上述した相対的に小さな幅Ｗ１（図１（イ））との組み合わせによって、後に説明する外装容器つまり付け替え容器１０に対する装着作業が容易になる。
【００２３】
下方に向けて先細り形状の付け替え用包装袋１は、他に、４方シール袋、３方シール袋、スタンディングパウチ、ピロー袋、ガセット袋、封筒張り袋などを例示することができる。また、変形例として、下方に向けて先細りにするために袋の側面視矩形の袋の両側部又は一側部の側部シール部分の下端部を斜めにカットしたり、該側部シール部の下端部を斜めに折り返して、この折り返し部分を接着することで下方に向けて先細りの袋を作っても良い。
【００２４】
第１実施例の容器（図４〜図８）：
上述した付け替え用包装袋１は、これを開封した後に図４〜図８に示す付け替え容器１０に装着される。付け替え容器１０は、上下に開放した筒状の容器本体つまり外装ケース本体１１と、外装ケース本体１１の上端開口部に嵌装される止め部材１２とで構成され、止め部材１２は、その上端を閉塞する天板１２ａに形成された複数の小孔１３によって上方に向けて開放されている。すなわち、小孔１３は、止め部材１２を上下に貫通している。この止め部材１２は、また、下方に向けて大きく開放されている。
【００２５】
止め部材１２は蓋部材１４によって閉じることができる。蓋部材１４の底面には、小孔１３内に侵入する突状部１６を有する。外装ケース本体１１、止め部材１２、蓋部材１４は合成樹脂材料から作られた成型品で構成されている。蓋部材１４は、止め部材１２とは別部材で構成してもよいが、止め部材１２と一体成形ヒンジ１４ａで連結されているのがよい（図４）。
【００２６】
止め部材１２は、外装ケース本体１１の上端開口部の中に侵入することのできる筒部１５を有する(図５)。そして、この筒部１５が外装ケース本体１１の上端部に嵌入することで、筒部１５と外装ケース本体１１とが協働して、次に説明するように付け替え用包装袋１の上端開口部１ａを固定することができる（図６、図８）。換言すれば、付け替え用包装袋１の上端開口部１ａ（図５）は止め部材１２の筒部１５を受け入れることのできる大きさを有し、好ましくは、筒部１５の断面積と実質的に同じ開口面積を有するのがよい。付け替え用包装袋１の上端開口部１ａの中に筒部１５を挿入した状態の止め部材１２を外装ケース本体１１の上端開口部に嵌入することで、付け替え用包装袋１の上端開口部１ａが、止め部材１２の筒部１５と外装ケース本体１１とで挟持される。
【００２７】
付け替え用包装袋１は、上述したように、上端ヒートシール部３に隣接した切断箇所７を切り去ることで開封することができる（図３）。開封した付け替え用包装袋１の上端開口部１ａを固定する機構は、概略的には、容器本体つまり外装ケース本体１１の内周面と止め部材１２の筒部１５の外周面とが協働して包装袋１の開放した上端開口部１ａを挟持する構成が採用されている。具体的には、好ましい形態として、包装袋１の上端開口部１ａを固定する機構は、外装ケース本体１１の内周面の上端部に形成された突起２０と、止め部材１２の筒部１５の下端縁１５ａとで構成されている。この固定機構の外装ケース本体１１の突起２０と、筒部１５の外周面の下端縁１５ａとは相対的な関係であり、変形例として、外装ケース本体１１の突起２０を省いて止め部材１２の筒部１５に突起２０を形成してもよい。また、付け替え用包装袋１は、止め部材１２の筒部１５の外周面と突起２０とで固定することもできる。この固定機構の外装ケース本体１１の筒部１５の外周面と突起２０との関係も相対的な関係であるのは言うまでもない。
【００２８】
図５を参照して具体的に説明すると、開封した付け替え用包装袋１の開口部１ａに止め部材１２の筒部１５を挿入し、次いで、付け替え用包装袋１を外装ケース本体１１の中に挿入して、この外装ケース本体１１に止め部材１２を位置固定すると、止め部材１２の筒部１５の下端縁１５ａが付け替え用包装袋１を介して外装ケース本体１１の突起２０と圧接した状態となり、これにより付け替え用包装袋１の開口部１ａは、外装ケース本体１１の突起２０と、止め部材１２の筒部１５の下端縁１５ａとに挟まれた状態で位置固定される。
【００２９】
したがって、止め部材１２の筒部１５の上下長さ寸法は、上記の包装袋１の付け替え作業の操作を行うのに適した寸法に設定するのがよい。
【００３０】
外装ケース本体１１に対する止め部材１２の位置固定の機構は、容器本体つまり外装ケース本体１１の上端部に形成された複数の爪２１と、止め部材１２の筒部１５の上端部に形成された係止溝２２とで構成されており（図７、図８）、外装ケース本体１１に止め部材１２の筒部１５を押し込むことで、外装ケース本体１１の複数の爪２１が止め部材１２の係止溝２２に係合し、これにより包装袋１の開放した上端開口部１ａが、外装ケース本体１１の突起２０と、止め部材１２の筒部１５の下端縁１５ａとの間に挟み込まれた状態で、付け替え容器１０の内部に固定される。この固定を音によって確認できるようにするために、筒部１５の上端部と係止溝２２の間の中間位置に出っ張り２３を設け、複数の爪２１が出っ張り２３を乗り越えて係止溝２２に係合したときに前記爪２１が係止溝２２にぶつかってカチッという音を発するようにするのがよい。また、複数の爪２１が筒部１５の上端部に進む位置に縦溝１８（図５）を形成して、この縦溝１８の案内によって当該爪２１がスムーズに進行できるようにしてもよい。
【００３１】
容器本体つまり外装ケース本体１１は、上述したように上下に開放した断面略楕円形状の筒体で構成されているが、変形例として、有底の筒体で構成されていてもよい。また、図４中、参照符号１１ａは、外装ケース本体１１の左右に形成したスリットを示し、このスリット１１ａを通じて内容物の残量を目で確認することができる。また、図４中、参照符号１７は、外装ケース本体１１に形成した開口窓を示し、この開口窓１７を通して付け替え用包装袋１にプリントしてある製品名、原材料表示、賞味期限等の製品情報を外部から覗き見ることができる。したがって、このような製品情報のプリント位置と開口窓１７の位置が一致するように、開口窓１７の位置を設定するのがよい。また、前述したスリットや開口窓１７は、後に説明する第２、第３の実施例についても同様に設けてもよい。
【００３２】
外装ケース本体１１は、この実施例では合成樹脂で作られているが、例えばガラスで作る等、材料は任意である。また、外装ケース本体１１の外形形状についても任意であり、意匠が施されていてもよい。更に、実施例の外装ケース本体１１の外形形状は上下に同一径の略楕円状の形状を有しているが、例えば上方に向かうに従って径が小さくなる形状であっても良いし、上下方向中間部分の断面積を小さく絞り込んだ形状を有していてもよい。また、実施例に含まれる容器本体つまり外装ケース本体１１は、上述したように下方に開放した形状を有しているが底壁を有していてもよい。この底壁は、外装ケース本体１１の底を完全に閉塞する形状を有していてもよいし部分的に切り欠いた底壁であってもよい。また、自立性が必要でなければ上下長さを短くしてもよい。
【００３３】
外装ケース本体１１の高さ寸法は、図６から分かるように、付け替え容器１０に装着した付け替え用包装袋１の下端が外装ケース本体１１から下方に露出しない程度の高さ寸法であるのがよく、最も好ましくは、付け替え容器１０に装着した付け替え用包装袋１の下端が外装ケース本体１１の下端とほぼ同じ高さレベルに位置するように付け替え容器１０の高さ寸法を設定するのがよい。
【００３４】
この第１実施例の付け替え用包装袋１の内容物は上述したように粉末の一味唐辛子や七味唐辛子などのスパイスであることから、開封した付け替え用包装袋１の開口部を固定する機構に加えて厳密なシール機構は要求されない。このことから、外装ケース本体１１の内周面の上端部に形成された突起２０は外装ケース本体１１の周方向に連続することなく間欠的であってもよい。勿論、突起２０は、外装ケース本体１１の周方向に連続した突条で構成してもよい。
【００３５】
第１実施例の付け替え用包装袋１及び付け替え容器１０は、止め部材１２を外装ケース本体１１から取り外すことより、付け替え用包装袋１を交換することができる。仮に、空になる前に交換したときには、取り外した包装袋１に残っているスパイスを、開封した新しい付け替え用包装袋１の上端開口部を通じてこの新しい付け替え用包装袋１の中に入れることで、これまで使用してきた包装袋１を完全に空にすることができる。このスパイスの移し替えは、開封した包装袋１の開口が大きく上方に開放していることから、比較的容易に行うことができる。
【００３６】
また、付け替え容器１０に付け替え用包装袋１を組み付けることにより、付け替え容器１０は、付け替え用包装袋１と合体してスパイスを収容した容器となり、蓋部材１４を開いて付け替え容器１０を傾けながら振りかける動作を行うことで、小孔１３を通じてスパイスを取り出すことができる。
【００３７】
図９〜図１８は第２、第３の実施例を示し、これら第２、第３実施例の説明において、上述した第１実施例と同じ要素には同じ参照符号を付すことにより、その説明を省略する。
【００３８】
第２実施例（図９〜図１３）：
図９〜図１３は第２実施例を示す。第２実施例の付け替え容器３０は断面円形であり、その容器本体つまり外装ケース本体３２に対して止め部材３４を螺合させる構成が採用されている（図１０、図１３）。図中、参照符号３６はねじ山を示す。止め部材３４には一体成形ヒンジ３８ａ（図９）を介して蓋部材３８が設けられている。この蓋部材３８は止め部材３４とは別体構造であってもよい。蓋部材３８は、ヒンジで止め部材３４に連結することに関して、変形例として、スクリューキャップで構成してもよい。また、外装ケース本体３２と止め部材３４は、第１実施例と同様に複数の爪２１が係止溝２２に係合する構造を採用してもよい。
【００３９】
第３実施例（図１４〜図１８）：
図１４〜図１８は第３実施例を示す。第３実施例の付け替え容器４０は断面略矩形の形状を有し、容器本体つまり外装ケース本体４２に対して第１実施例と同様に嵌合及び爪係合によって固定される止め部材４４には、比較的大きな第１の開口４６と比較的小さな第２の開口４８とが形成されている。この第１、第２の２つの開口４６、４８に対応して第１、第２の蓋部材部５０、５２が一体成形ヒンジ５０ａ、５２ａ(図１５)を介して設けられ、第１の蓋部材部５０を開けることで、比較的大きな第１の開口４６を開放することができ、第２の蓋部材部５２を開けることで、比較的小さな第２の開口４８を開放することができる。第３実施例の付け替え容器４０には、例えばフレークや粉末洗剤等を収容した付け替え用包装袋５４が適用される。
【００４０】
上述したように、実施例の付け替え容器１０、３０、４０は、止め部材１２、３４、４４を有し、この止め部材１２、３４、４４を、容器本体つまり外装ケース本体１１、３２、４２の上端開口部に挿入した状態で止め部材１２、３４、４４を外装ケース本体１１、３２、４２に対して位置固定する構造が採用されている。そして、止め部材１２、３４、４４は、付け替え用包装袋１の開封した上端開口部に進入可能な筒部１５を有する。この筒部１５は止め部材１２、３４、４４と一体成形されるのが良いが、止め部材１２、３４、４４と別体で筒部１５を作り、そして、筒部１５を例えば止め部材１２、３４、４４に螺着させる又は接着させることで一体化させてもよい。
【００４１】
付け替え用包装袋１は、開封した上端開口部が止め部材１２、３４、４４の筒部１５の下端部、最も好ましくは、筒部１５の下端縁１５ａと、容器１０、３０、４０の外装ケース本体１１、３２、４２の上端開口部の内面の一部、典型的には上述した突起２０との間で挟持されることにより、外装ケース本体１１、３２、４２に対して付け替え用包装袋１が位置固定され、これにより、付け替え用包装袋１が外装ケース本体１１、３２、４２と一体化して、内容物を収容し且つ内容物を取り出すことのできる容器１０、３０、４０となる。
【００４２】
勿論、付け替え用包装袋１は、この包装袋１から内容物を取り出すことなく包装袋１に入ったままの状態で外装ケース本体１１、３２、４２に装着されることで容器１０、３０、４０の一部として使用されるため、詰め替え方式で問題視された衛生面での問題が生じることは無い。
【００４３】
上述した第１〜第３の実施例を通じて、ある程度の大きさを備えた固形の内容物を例示的に挙げて説明したが、本発明は、固形や粉末に限定されず、醤油、ドレッシング、液体出汁、ポン酢などの液体や粘性流体に対しても適用することができる。内容物が液体の場合のように止め部材と外装ケース本体との間の液密性が要求される場合、上述した止め部材１２、３４、４４の筒部１５の下端部と、外装ケース本体１１、３２、４２の上端開口部の内面の一部（突起２０が周方向に連続した突条）とによる挟持ではシール性が不足するときには、例えば上記の突条の代わりに弾性Ｏ−リングなどのシール部材を採用してもよい。また、止め部材１２、３４、４４の筒部１５に上記のＯ−リングを受け入れる凹状の周方向に連続した周溝を設けるようにしてもよい。
【００４４】
勿論、このシール機能は、外装ケース本体１１、３２、４２の上端開口部に弾性Ｏ−リングなどのシール部材を配置する代わりに、止め部材１２、３４、４４にＯ−リングなどのシール部材を配置するようにしてもよく、必要であれば、外装ケース本体１１、３２、４２の上端開口部に上記のＯ−リングを受け入れる凹状の周溝を設けるようにしてもよい。
【００４５】
第４実施例（図１９、図２０）：
図１９、図２０は第４実施例を示す。上述した第１〜第３実施例は香辛料や主に固形に好適に適用可能な具体例を説明したが、この第４実施例は、コップ又は食器として本発明に従う容器が適用可能であることを示す具体例を例示するものである。
【００４６】
図１９を参照して、付け替え容器６０は、上下に開放した筒状の容器本体６２と、上下に開放した止め部材６４とで構成されている。容器本体６２と止め部材６４の筒部６４ａとで袋６６の開放した上端部６６ａを固定する機構は、実質的に第１実施例(図６、図８)と同じであり、止め部材６４の筒部６４ａに第１実施例と同じ突起２０が形成されている。この突起２０は周方向に連続していてもよいし間欠的であってもよい。なお、図１９に図示の容器６０は断面楕円形の形状であり、その短軸に沿って切断した断面を図２０に図示してあるが、容器６０を断面円形に設計して、第２実施例（図１０、図１２）と同様に、容器本体６２に対して止め部材６４を螺着させることで袋６６の上端部を固定するようにしてもよい。したがって、上述した具体例及び変形例に関する説明はこの図１９、図２０に図示の第４実施例にも適用可能であるのは勿論である。
【００４７】
袋６６は、第１実施例などで説明した専用の付け替え用包装でなくてもよく、現在広く流通している又は将来流通するであろう密封した包装袋であってもよく、この場合、この流通している包装袋の上端開口部の断面積と一致させるように容器６０を設計すればよい。すなわち、包装袋６６は特定の形状及び寸法のものであってもよいが、流通している包装袋に対してこれに適合するように容器６０を設計してもよい。
【００４８】
袋６６は、例えば具材入り粉末スープ、冷製のコーンスープやパンプキンスープ、レンジ又は熱水で加熱して喫食する例えばスープを密封した加工済み食品の包装袋であってもよい。そして、具材入り粉末スープの場合には、包装袋６６を開封して容器６０にセットした後に包装袋６６の中に熱湯を入れ、そして、この容器６０を食器又はカップとして利用して具材入りスープを喫食することができる。
【００４９】
なお、付け替え容器６０に、止め部材６４の上端部に脱着可能に嵌合する蓋部材（図示せず）を追加してもよい。また、この蓋部材に、蓋部材から上方に突出する飲み口を設け、この飲み口を通じて容器６０の中の液体食品を喫食できるようにしてもよい。
【００５０】
第５実施例（図２１、図２２）：
図２１、図２２に図示の第５実施例の付け替え容器７０は、スナック菓子の食べ残しを保存するのに好適な例を示す。容器７０は、上下に開放した筒状の容器本体７２と、この容器本体７２の上端部に挿入可能な筒部７４ａを備えた止め部材７４と、止め部材７４の上端部に脱着可能に嵌合する蓋部材７６とで構成されている。
【００５１】
蓋部材７６の内周面に複数の突起７６ａを有し、他方、止め部材７４の上端部に周方向に連続した段部７４ａを有し、この段部７４ａに蓋部材７６がスナップ嵌めされる。そして、蓋部材７６を止め部材７４に装着した状態では、蓋部材７６の側面と止め部材７４の側面が面一の状態になる。
【００５２】
図示の例では、包装袋７８はポテトチップス、フレークのようなスナック菓子の比較的小さな密封袋であり、図２１、図２２にはこれを開封した状態で図示してある。図２２の参照符号８０はスナック菓子を示す。
【００５３】
容器本体７２と止め部材７４の筒部７４ａとで袋７８の開放した上端部７８ａを固定する機構は、実質的に第１実施例(図６、図８)と同じであり、止め部材７４の筒部７４ａに第１実施例と同じ突起２０が形成されている。この突起２０は周方向に連続していてもよいし間欠的であってもよい。なお、図示の容器７０は断面円形の形状を有していることから、第２実施例（図１０、図１２）と同様に、容器本体７２に対して止め部材７４を螺着させることで袋７８の上端部を固定するようにしてもよい。また、この第５実施例の容器７０の形状を前述した第４実施例（図１９）と同様に断面楕円の形状や他の任意の形状を採用してもよい。
【００５４】
図２１、図２２に図示の付け替え容器７０は、図２２から分かるように、袋７８と一体化して有底の容器となる。開封した袋７８を容器７０に係合させた状態でスナック菓子８０を食べてもよいし、袋７８のままで食べ、それを食べ残したときに、袋７８を容器７０に係合させて、この容器７０をスナック菓子８０の保存容器として使用してもよい。
【００５５】
この第５実施例の付け替え容器７０は、前述した第４実施例(図１９)で説明した例えば具材入り粉末スープ、冷製のコーンスープやパンプキンスープ、レンジ又は熱水で加熱して喫食する例えばスープを包装袋に密封した加工済み食品に対して蓋付きの食器又はカップとして使用してもよいのは勿論である。また、この第５実施例の付け替え容器７０は、レトルト総菜の蓋付き容器として使用することもできる。
【００５６】
また、カレー、シチューの固形ルウや粉末ルウ、顆粒ないしフレークルウ（「固形ルウ」と呼ぶ。）を上述した包装袋７８に入れて市場に供給し、喫食時に熱湯を注ぎ入れ、必要に応じて電子レンジで加熱してカレーソースやシチューソースとして喫食する容器として、或いは、上記カレー、シチューの固形ルウ等の保管容器として、この第５実施例の付け替え容器７０を使用してもよい。
【産業上の利用可能性】
【００５７】
本発明の容器は、(1)粉末スパイス、砂糖、小麦粉、ご飯にかけて食べるふりかけ、ココア、インスタントコーヒー、粉末洗剤などの粉末、(2)カレー、シチューなどの固形ルウ、フレーク、チューインガム、カプセルや錠剤の各種サプリメントなどの固形物、(3)各種のドレッシング、醤油、ソース、液体ダシ、ノリの佃煮、液体石けんなどの液体を保管する容器、(4)レトルト総菜の容器として適用することができる。本発明の容器を、また、粉末をお湯又は水に溶かして喫食するジュースやスープなどの液体食品又は飲料の食器又はカップとして適用することができる。
【符号の説明】
【００５８】
１    付け替え用包装袋
１ａ  開封した包装袋の上端開口部
Ｗ１  包装袋の下端の幅
Ｗ２  包装袋の上部の幅
２    包装袋のマチ
３    包装袋の上端ヒートシール部
１０    付け替え容器
１１    筒状の容器本体（外装ケース本体）
１２    止め部材
１２ａ  止め部材の上端天板
１３    止め部材の小孔
１４    蓋部材
１５    止め部材の筒部
１５ａ  筒部の下端縁
２０    容器本体（外装ケース本体）の内周面の上端部に形成された突起
【図１】
2012214253.tif 000003
【図２】
2012214253.tif 000004
【図３】
2012214253.tif 000005
【図４】
2012214253.tif 000006
【図５】
2012214253.tif 000007
【図６】
2012214253.tif 000008
【図７】
2012214253.tif 000009
【図８】
2012214253.tif 000010
【図９】
2012214253.tif 000011
【図１０】
2012214253.tif 000012
【図１１】
2012214253.tif 000013
【図１２】
2012214253.tif 000014
【図１３】
2012214253.tif 000015
【図１４】
2012214253.tif 000016
【図１５】
2012214253.tif 000017
【図１６】
2012214253.tif 000018
【図１７】
2012214253.tif 000019
【図１８】
2012214253.tif 000020
【図１９】
2012214253.tif 000021
【図２０】
2012214253.tif 000022
【図２１】
2012214253.tif 000023
【図２２】
2012214253.tif 000024